(57)【要約】【課題】既存のドライバー工具に取付けることで、例えば水平方向若しくは垂直方向への穴開け補助機能が付与されるビット用アダプタを提供すること。【解決手段】ドライバー工具１に取付け可能な取付部２を一端側に有するアダプタ本体３の他端部に、ビット４を差込み装着可能な差込み孔５が設けられ、このアダプタ本体３の他端側には、差込み孔５に差込み装着されたビット４の抜止状態を解除可能な解除操作用スリーブ６が、差込み孔５に差込み装着されたビット４の軸心を回動中心として回動自在に設けられており、解除操作用スリーブ６に、水平度若しくは垂直度を測定可能且つ解除操作用スリーブ６と共にアダプタ本体３に対し回動自在な水準器７が設けられているビット用アダプタ。【選択図】図４
2020199622.tif 000002
【特許請求の範囲】
【請求項１】
ドライバー工具に取付け可能な取付部を一端側に有するアダプタ本体の他端部に、ビットを差込み装着可能な差込み孔が設けられていると共に、このアダプタ本体の他端側には、前記差込み孔に差込み装着されたビットの抜止状態を解除可能な解除操作用スリーブが、差込み孔に差込み装着されたビットの軸心を回動中心として回動自在に設けられているビット用アダプタにおいて、前記解除操作用スリーブに、水平度若しくは垂直度を測定可能且つ解除操作用スリーブと共に前記アダプタ本体に対し回動自在な水準器が設けられていることを特徴とするビット用アダプタ。
【請求項２】
前記アダプタ本体の他端側に、前記差込み孔に差込み装着された前記ビットの軸方向にスライド移動可能で、且つ差込み孔に差込み装着されたビットの軸心を回動中心として回動自在な前記解除操作用スリーブが設けられていて、この解除操作用スリーブをアダプタ本体に対しスライド移動することで差込み孔に差込み装着されたビットを抜外し可能に構成されているビット用アダプタにおいて、前記解除操作用スリーブに気泡管式の前記水準器が設けられていることを特徴とする請求項１記載のビット用アダプタ。
【請求項３】
前記解除操作用スリーブにベース部材が付設され、このベース部材に前記水準器が設けられていることを特徴とする請求項１，２のいずれか１項に記載のビット用アダプタ。
【請求項４】
前記ベース部材は、前記解除操作用スリーブに被嵌取付可能な被嵌筒部を有して、この被嵌筒部を介してベース部材が前記解除操作用スリーブに付設されていると共に、この被嵌筒部の筒長さ方向と直交する側方に前記水準器が配設されていることを特徴とする請求項３記載のビット用アダプタ。
【発明の詳細な説明】
【技術分野】
【０００１】
本発明は、電動ドライバーなどのドライバー工具に取付けることで、例えば穴開け加工を行う際に水平若しくは垂直方向への穴開け補助機能が付与されるビット用アダプタに関するものである。
【背景技術】
【０００２】
電動ドライバー等のドライバー工具に、先端がドリル形状のビットを取付けて壁や床等に穴開け加工を施すことが従来から行われているが、水平又は垂直に穴開けを行うことは熟練の作業者であったとしても容易ではない。
【０００３】
そこで、従来、水平又は垂直の穴開けが容易に可能となるように、水準器を備えたドリル装置が提案されている（例えば、下記特許文献１参照。）。
【先行技術文献】
【特許文献】
【０００４】
【特許文献１】特開２００５−１５３１３３号公報
【発明の概要】
【発明が解決しようとする課題】
【０００５】
特許文献１のようなドリル装置は、装置自体に水準器が設けられているので、たとえ穴開け用途にも使用可能な汎用の電動ドライバーを既に所有していても、正確な穴開けを行うためにはこのドリル装置を新たに購入しなければならず、非常に不経済である。
【０００６】
本発明は、このような不都合を解決するためのもので、電動ドライバー等の汎用のドライバー工具に対して簡単に取付けでき、例えば穴開け時にドライバー工具に取付けることで穴開け補助機能が付与されて正確な水平穴若しくは垂直穴を形成することが可能になる水準器機能付ビット用アダプタを提供するものである。
【課題を解決するための手段】
【０００７】
添付図面を参照して本発明の要旨を説明する。
【０００８】
ドライバー工具１に取付け可能な取付部２を一端側に有するアダプタ本体３の他端部に、ビット４を差込み装着可能な差込み孔５が設けられていると共に、このアダプタ本体３の他端側には、前記差込み孔５に差込み装着されたビット４の抜止状態を解除可能な解除操作用スリーブ６が、差込み孔５に差込み装着されたビット４の軸心を回動中心として回動自在に設けられているビット用アダプタａにおいて、前記解除操作用スリーブ６に、水平度若しくは垂直度を測定可能且つ解除操作用スリーブ６と共に前記アダプタ本体３に対し回動自在な水準器７が設けられていることを特徴とするビット用アダプタに係るものである。
【０００９】
また、前記アダプタ本体３の他端側に、前記差込み孔５に差込み装着された前記ビット４の軸方向にスライド移動可能で、且つ差込み孔５に差込み装着されたビット４の軸心を回動中心として回動自在な前記解除操作用スリーブ６が設けられていて、この解除操作用スリーブ６をアダプタ本体３に対しスライド移動することで差込み孔５に差込み装着されたビット４を抜外し可能に構成されているビット用アダプタａにおいて、前記解除操作用スリーブ６に気泡管式の前記水準器７が設けられていることを特徴とする請求項１記載のビット用アダプタに係るものである。
【００１０】
また、前記解除操作用スリーブ６にベース部材８が付設され、このベース部材８に前記水準器７が設けられていることを特徴とする請求項１，２のいずれか１項に記載のビット用アダプタに係るものである。
【００１１】
また、前記ベース部材８は、前記解除操作用スリーブ６に被嵌取付可能な被嵌筒部９を有して、この被嵌筒部９を介してベース部材８が前記解除操作用スリーブ６に付設されていると共に、この被嵌筒部９の筒長さ方向と直交する側方に前記水準器７が配設されていることを特徴とする請求項３記載のビット用アダプタに係るものである。
【発明の効果】
【００１２】
本発明は上述のように構成したから、既存のこの種ビット用アダプタと同様に汎用のドライバー工具に容易に取付けでき、例えば差込み孔にドリル形状のビットを差込み装着して穴開け用途に使用すれば、水準器で水平度若しくは垂直度を測定できて穴開け対象物へ正確な水平穴若しくは垂直穴を形成することができ、しかも本発明は、差込み孔に差込み装着されたビットの軸心を回動中心としてアダプタ本体に対し回動自在な解除操作用スリーブに水準器が設けられているため、ドライバー工具を回動させた際（穴開け時）にアダプタ本体もビットと共回りするが、水準器は作業者が手で摘まむなどして解除操作用スリーブと共に停止させることができ、停止させた水準器で穴開け中も水平度若しくは垂直度測定が可能で、正確な水平穴若しくは垂直穴を形成することが容易に可能となるなど、極めて実用性に優れたビット用アダプタとなる。
【００１３】
また、請求項２記載の発明においては、既存の一般的なビット用アダプタを用いて本発明を簡易に設計実現可能となる一層実用性に優れた構成のビット用アダプタとなる。
【００１４】
また、請求項３，４記載の発明においては、解除用スリーブに水準器が設けられる構成を簡易構成にして容易に設計実現可能となり、特に請求項４記載の発明のように構成することにより、ドライバー工具を操作しながら水準器を確認し易い一層実用性に優れた構成のビット用アダプタとなる。
【図面の簡単な説明】
【００１５】
【図１】実施例１を示す斜視図である。
【図２】実施例１を示す、ベース部材を分解した斜視図である。
【図３】実施例１のビット着脱構造を示す、ベース部材を切り欠いた説明側面図である。
【図４】実施例１の、ドライバー工具とビットとの関係を示す分解斜視図である。
【図５】実施例１の使用状態（水平に穴開けする場合）を示す説明側面図である。
【図６】実施例１の使用状態（垂直に穴開けする場合）を示す説明斜視図である。
【図７】実施例２を示す斜視図である。
【図８】実施例２の使用状態（垂直に穴開けする場合）を示す説明斜視図である。
【発明を実施するための形態】
【００１６】
好適と考える本発明の実施形態を、図面に基づいて本発明の作用を示して簡単に説明する。
【００１７】
本発明のビット用アダプタは、アダプタ本体３の一端側の取付部２を介して汎用のドライバー工具１に対し容易に取付けできる。
【００１８】
例えば、穴開け用途に使用する場合、アダプタ本体３の他端部に設けられている差込み孔５に先端がドリル形状のビット４を差込み装着し、穴開け対象物12へビット４先端を当てがって穴開け加工を行うが、この際、解除操作用スリーブ６に設けられている水準器７で水平度若しくは垂直度を測定することができるので、穴開け対象物12へ正確な水平穴若しくは垂直穴を形成できる。
【００１９】
また、公知のこの種ビット用アダプタａは、差込み孔５に差込み装着されたビット４の抜止状態を解除可能な解除操作用スリーブ６が、差込み孔５に差込み装着されたビット４の軸心を回動中心としてアダプタ本体３に対し回動自在に設けられているが、本発明は、この回動自在な解除操作用スリーブ６に水準器７が設けられている。
【００２０】
そのため、穴開け時にドライバー工具１を回動させると、アダプタ本体３もビット４と共回りするが、解除操作用スリーブ６と共にアダプタ本体３に対し回動自在な水準器７は、作業者が手で摘まむなどして停止させることができ、従って穴開け中も停止させた水準器７で水平度若しくは垂直度測定が可能で、正確な水平穴若しくは垂直穴を形成することが容易に可能となる。
【実施例１】
【００２１】
本発明の具体的な実施例１について図１〜図６に基づいて説明する。
【００２２】
本実施例は、以下に説明する公知のビット用アダプタａに対して、本発明を適用した場合を示している。また、図面は、ドライバー工具１として電動ドライバー１を示しているが、本実施例は、エアードライバーや、ビット４を着脱可能な手動式のドライバー工具１でも使用可能である。
【００２３】
ビット用アダプタａは、図２に示すように、ドライバー工具１に取付け可能な取付部２を一端側に有する棒状のアダプタ本体３の他端部に、公知のビット４を差込み装着可能な差込み孔５が設けられている。
【００２４】
また、アダプタ本体３は棒状を呈し、一端側が他の部位より径小な細棒状に形成されて、この細棒状の一端部が前記ドライバー工具１に着脱自在に取付け可能な前記取付部２として構成されており、アダプタ本体３の他端部の端面には、アダプタ本体３の長さ方向に沿った孔長を有する前記差込み孔５が設けられている。
【００２５】
更に具体的には、ドライバー工具１には、ビット４を差込み装着可能なビット差込み孔10が設けられているが、前記取付部２は、このビット差込み孔10に差込み装着可能なビット４の差込み端側と同一形状、即ち断面六角形の棒状であって、途中部にビット差込み孔10内に設けられている図示省略の係止部材（ボール）が係脱自在に係止する径小くびれ部11を有する形状に形成されている。
【００２６】
また、このアダプタ本体３の他端側には、前記差込み孔５に差込み装着されたビット４の軸方向（ビット４の長さ方向）にスライド移動可能な円筒状の解除操作用スリーブ６が設けられていて、図３に示すようにこの解除操作用スリーブ６をアダプタ本体３に対し外方へスライド移動することで、差込み孔５に差込まれているビット４を抜き外し可能となるように構成されている。
【００２７】
本実施例は、このような公知のビット用アダプタａの前記解除操作用スリーブ６に、水平度と垂直度を測定可能で且つ解除操作用スリーブ６とともに前記アダプタ本体３に対し回動自在な水準器７が設けられている。
【００２８】
具体的には、公知のビット用アダプタａは、前記解除操作用スリーブ６が差込み孔５に差込み装着されたビット４の軸心を回動中心として回動自在（この解除操作用スリーブ６の回動自体に機能的な意味はない。）に構成されているが、この回動自在な解除操作用スリーブ６に、前記水準器７を備えたベース部材８が付設されていることによって、解除操作用スリーブ６に水準器７が設けられている。
【００２９】
また、このベース部材８は、被嵌筒部９を有し、この被嵌筒部９が前記解除操作用スリーブ６に被嵌状態で取付けられることでベース部材８が前記解除操作用スリーブ６に付設されていると共に、この被嵌筒部９の筒長さ方向と直交する側方に前記水準器７が配設されている。
【００３０】
即ち、本実施例は、公知のビット用アダプタａに何ら構造変更を施すことなく、水準器７付のベース部材８を解除操作用スリーブ６に取付けできるように構成されている。
【００３１】
更に詳しく説明すると、ベース部材８は、例えば合成樹脂製であって、図１，図２に示すような、厚みのある略二等辺三角形状体に一体成形されている。
【００３２】
また、この略二等辺三角形状のベース部材８は、その底辺部分の中間部に、このベース部材８の厚み方向に貫通するようにして前記被嵌筒部９が一体成形されていると共に、この被嵌筒部９の側方に存する頂角部と二箇所の等辺部分との三箇所に円柱形気泡管式の前記水準器７が外部から視認可能に設けられている。
【００３３】
また、ベース部材８の頂角部に設けられている水準器７Ａは、その管長方向（気泡13の動く方向）が前記被嵌筒部９の筒長さ方向と平行に配設され、ベース部材８の二箇所の等辺部分に設けられている水準器７Ｂ，７Ｃは、夫々の管長方向が夫々の等辺の辺長方向と平行に配設、即ち前記被嵌筒部９の筒長さ方向と直交状態に配設されている。
【００３４】
換言すると、三箇所の水準器７Ａ，７Ｂ，７Ｃは、夫々が互いに直交関係となるようにしてベース部材８に配設されている。
【００３５】
このように構成されているベース部材８は、前記被嵌筒部９を前記解除操作用スリーブ６に被嵌して例えば接着などの適宜な止着手段で止着することにより解除操作用スリーブ６に付設されていて、このベース部材８が、前記アダプタ本体３に対し解除操作用スリーブ６と共回り可能となるように構成されている（図１〜図３参照）。
【００３６】
即ち、ベース部材８の頂角部に設けられている水準器７Ａは、前記差込み孔５に差込み装着されたビット４の軸方向と平行に配設され、二箇所の等辺部分に存する水準器７Ｂ，７Ｃは、いずれも差込み孔５に差込み装着されたビット４の軸方向と直交状態に配設されるように構成されている。
【００３７】
このように構成された本実施例によれば、図４に示すように、前記取付部２を介してドライバー工具１（のビット差込孔10）に取付け、例えば穴開け目的で先端がドリル形状のビット４を差込み孔５に差込み装着すると、ビット４の軸方向と平行に配設されている前記水準器７Ａが水平測定用水準器７Ａとして機能し、図５に示すようにこの水平測定用水準器７Ａによりビット４の水平度を測定して壁などの穴開け対象物12に水平穴を形成することができ、また、ビット４の軸方向と直交状態に配設されている二つの前記水準器７Ｂ，７Ｃが垂直測定用水準器７Ｂ，７Ｃとして機能し、図６に示すようにこの垂直測定用水準器７Ｂ，７Ｃによりビット４の垂直度を測定（水準器７Ｂ，７Ｃの双方の水平を測定することでビット４の垂直が出る）して床などの穴開け対象物12に垂直穴を形成することができるように構成されている。
【実施例２】
【００３８】
本発明の具体的な実施例２について図７，図８に基づいて説明する。
【００３９】
本実施例は、前記実施例１において、垂直測定用の水準器７として丸形気泡管式の水準器７Ｄが採用されている場合である。
【００４０】
具体的には、本実施例のベース部材８は、前記被嵌筒部９の筒長さ方向と直交する側方にコ字状の気泡管マウント14が突出状態に一体成形され、この気泡管マウント14に前記水平測定用水準器７Ａとしての円柱形気泡管７Ａが架設状態に設けられていると共に、この水平測定用水準器７Ａは、その管長方向が前記被嵌筒部９の筒長さ方向と平行に配設され、図７に示すように、この気泡管マウント14の前記取付部２側に存する遊離端の外側面に丸型気泡管式水準器７Ｄが付設されて、この水準器７Ｄを外部から視認可能に構成されている。
【００４１】
従って、図８に示すように、垂直穴を形成すべくドライバー工具１を操作（ビット４が垂直となるように操作）した際に、この垂直測定用の丸形気泡管式水準器７Ｄを上方から視認してビット４の垂直度を測定でき、床などの穴開け対象物12に垂直穴を形成することができるように構成されている。
【００４２】
また、本実施例のベース部材８は、前記実施例１のような垂直測定用水準器７Ｂ，７Ｃを有しない分、この水準器７Ｂ，７Ｃが設けられていた部位を有しないコンパクト形状に一体成形されている。
【００４３】
このように構成された本実施例によれば、実施例１よりもコンパクト化が可能となる。
【００４４】
他の構成は、前記実施例１と同様である。
【００４５】
尚、本発明は、実施例１，２に限られるものではなく、各構成要件の具体的構成は適宜設計し得るものである。
【符号の説明】
【００４６】
１  ドライバー工具
２  取付部
３  アダプタ本体
４  ビット
５  差込み孔
６  解除操作用スリーブ
７  水準器
８  ベース部材
９  被嵌筒部
ａ  ビット用アダプタ
【図１】
2020199622.tif 000003
【図２】
2020199622.tif 000004
【図３】
2020199622.tif 000005
【図４】
2020199622.tif 000006
【図５】
2020199622.tif 000007
【図６】
2020199622.tif 000008
【図７】
2020199622.tif 000009
【図８】
2020199622.tif 000010